(57)【要約】【課題】支持シート上に横たわる際の使用者の負担を効果的に軽減することが可能な液圧式マッサージ装置を提供する。【解決手段】ウォーターベッド１は、水槽１０と支持シート１１０とによって形成される密閉空間内に充填された水を使用者に噴き付けてマッサージを行う。支持シート１１０は、水の上方に配置され使用者を支持し、布１３０は、支持シート１１０を上面側から覆い、支持シート１１０の前端は、レバー１６０の軸１６２に固定される。作業者がレバー１６０の取手１６３を操作することにより、レバー１６０が下方に移動されると、布１３０が引っ張られ、布１３０にかかる張力が高められる。これにより、使用者が支持シート１１０に着座しても布１３０が使用者を支えるため、使用者の沈み込みが抑制される。よって、使用者は、円滑に支持シート１１０上に横たわることができる。【選択図】図８
2015112348.tif 000002
【特許請求の範囲】
【請求項１】
密閉空間内に充填された液体を使用者に噴き付けてマッサージを行う液圧式マッサージ装置において、
前記液体の上方に配置され使用者を支持する支持シートと、
前記支持シートの少なくとも一部を上面側から覆い、使用者による前記支持シート上への移乗を補助する移乗補助手段と、を備える、
ことを特徴とする液圧式マッサージ装置。
【請求項２】
請求項１に記載の液圧式マッサージ装置において、
前記移乗補助手段は、前記支持シートの少なくとも一部を上面側から覆う布部材と、前記布部材にかかる張力を設定する張力設定部と、を含む、
ことを特徴とする液圧式マッサージ装置。
【請求項３】
請求項２に記載の液圧式マッサージ装置において、
前記張力設定部は、前記布部材を引っ張ることにより前記布部材にかかる張力を高める機構部を含む、
ことを特徴とする液圧式マッサージ装置。
【請求項４】
請求項３に記載の液圧式マッサージ装置において、
前記機構部は、前記布部材を引っ張るための取手部材と、前記布部材にかかる張力が高められた状態で前記取手部材の位置を保持するための保持部材と、を含む、
ことを特徴とする液圧式マッサージ装置。
【請求項５】
請求項４に記載の液圧式マッサージ装置において、
前記保持部材によって前記取手部材の位置が保持された状態において、前記取手部材が装置本体の外側面に沿うとともに、前記取手部材の被操作部と装置本体との間の距離を広げて前記被操作部を把持し易くする空間を形成する空間形成手段が設けられている、
ことを特徴とする液圧式マッサージ装置。
【請求項６】
請求項３に記載の液圧式マッサージ装置において、
前記機構部は、前記布部材の少なくとも一端が固定された軸と、前記軸を回転させるモータと、を含む、
ことを特徴とする液圧式マッサージ装置。
【請求項７】
請求項６に記載の液圧式マッサージ装置において、
前記張力設定部は、前記モータを制御する制御部を備え、
前記制御部は、少なくとも使用者が前記支持シートに着座する際には、前記布部材にかかる張力が高くなるよう前記モータを制御し、少なくともマッサージ動作の際には、前記布部材を緩めるよう前記モータを制御する、
ことを特徴とする液圧式マッサージ装置。
【請求項８】
請求項７に記載の液圧式マッサージ装置において、
前記モータは、ステッピングモータにより構成され、
前記制御部は、少なくとも使用者が前記支持シートに着座する際に、前記ステッピングモータが自己保持力を発動するよう、前記ステッピングモータを制御する、
ことを特徴とする液圧式マッサージ装置。
【発明の詳細な説明】
【技術分野】
【０００１】
本発明は、支持シート上に横たわる使用者に液圧による刺激を与える液圧式マッサージ装置に関する。
【背景技術】
【０００２】
従来、支持シート上に横たわる使用者に液圧による刺激を与える液圧式マッサージ装置が知られている（たとえば、特許文献１）。この種のマッサージ装置では、水槽の開口が支持シートにより覆われて密閉空間が形成され、この空間に水等の液体が充填される。さらに、水槽の底部に噴射ノズルが配置され、この噴射ノズルから支持シートに向かって液体が噴射される。こうして、支持シート上に横たわる使用者に、支持シートを介して液圧による刺激が与えられ、使用者にマッサージが施される。
【先行技術文献】
【特許文献】
【０００３】
【特許文献１】特開２０１０−２５３２８８号公報
【発明の概要】
【発明が解決しようとする課題】
【０００４】
上記構成の液圧式マッサージ装置では、使用者に効果的に刺激を与えるために、支持シートが弾性に富む素材から構成されている。このため、支持シートは、上面を押されると比較的容易に撓み、使用者が一人で支持シート上に横たわるには、ある程度の労力が必要となる。
【０００５】
また、使用者が高齢者等であるような場合、着座時に、使用者の予想を超えて支持シートが大きく撓むと、使用者がバランスを崩して、円滑な動作が阻害されることが起こり得る。このため、高齢者には介添者の補助が必要となるが、介添者の補助を受けたとしても、高齢者には、比較的大きな労力が掛ってしまう。
【０００６】
上記課題に鑑み、本発明は、支持シート上に横たわる際の使用者の負担を効果的に軽減することが可能な液圧式マッサージ装置を提供することを目的とする。
【課題を解決するための手段】
【０００７】
本発明の主たる態様は、密閉空間内に充填された液体を使用者に噴き付けてマッサージを行う液圧式マッサージ装置に関する。この態様に係る液圧式マッサージ装置は、前記液体の上方に配置され使用者を支持する支持シートと、前記支持シートの少なくとも一部を上面側から覆い、使用者による前記支持シート上への移乗を補助する移乗補助手段と、を備える。
【０００８】
本態様に係る液圧式マッサージ装置によれば、使用者が支持シート上へ移乗する際に、移乗補助手段により移乗が補助されるため、使用者は円滑に支持シートに着座して、支持シート上に横たわることができる。これにより、使用者が支持シート上に横たわる際の負担を効果的に軽減することができる。
【０００９】
本態様に係る液圧式マッサージ装置において、前記移乗補助手段は、前記支持シートの少なくとも一部を上面側から覆う布部材と、前記布部材にかかる張力を設定する張力設定部と、を含む構成とされ得る。こうすると、張力設定部により布部材にかかる張力が高められると、使用者が支持シートに着座しても布部材が使用者を支えるため、使用者が支持
シートに直接着座する場合に比べて、使用者の沈み込みが抑制される。これにより、使用者は円滑に支持シートに着座することができるため、使用者が支持シート上に横たわる際の負担を効果的に軽減することができる。
【００１０】
この場合、前記張力設定部は、前記布部材を引っ張ることにより前記布部材にかかる張力を高める機構部を含む構成とされ得る。こうすると、使用者が支持シートに着座する際に、布部材が引っ張られることにより布部材が使用者を支えるため、使用者の沈み込みが抑制される。これにより、使用者が支持シート上に横たわる際の負担を効果的に軽減することができる。また、マッサージの際には、機構部による布部材の引っ張りを解除することにより、布部材が支持シートと一体となって撓み易くなる。これにより、使用者が支持シートに埋もれ易くなり、使用者に対してマッサージ効果を与えることができる。
【００１１】
この場合、前記機構部は、前記布部材を引っ張るための取手部材と、前記布部材にかかる張力が高められた状態で前記取手部材の位置を保持するための保持部材と、を含む構成とされ得る。こうすると、作業者は、取手部材を用いて布部材を引っ張ることにより、布部材にかかる張力を高めることができる。また、作業者は、保持部材を用いてこの状態の取手部材の位置を保持させることができる。これにより、作業者は、容易に布部材にかかる張力を高い状態に維持させることができる。
【００１２】
この場合、前記保持部材によって前記取手部材の位置が保持された状態において、前記取手部材が装置本体の外側面に沿うとともに、前記取手部材の被操作部と装置本体との間の距離を広げて前記被操作部を把持し易くする空間を形成する空間形成手段が設けられ得る。こうすると、作業者が、布部材にかかる張力を高めようと取手部材を移動させる際に、作業者の手が筐体に当たることが抑制される。これにより、取手部材の操作が容易になる。
【００１３】
また、本態様に係る液圧式マッサージ装置において、前記機構部は、前記布部材の少なくとも一端が固定された軸と、前記軸を回転させるモータと、を含む構成とされ得る。こうすると、モータの駆動量を制御することにより、布部材にかかる張力を設定することができる。
【００１４】
この場合、前記張力設定部は、前記モータを制御する制御部を備える構成とされ得る。ここで、前記制御部は、少なくとも使用者が前記支持シートに着座する際には、前記布部材にかかる張力が高くなるよう前記モータを制御し、少なくともマッサージ動作の際には、前記布部材を緩めるよう前記モータを制御する構成とされ得る。こうすると、円滑な着座を進めながら、快適なマッサージ効果を使用者に提供することができる。
【００１５】
この場合、前記モータは、ステッピングモータにより構成され得る。ここで、前記制御部は、少なくとも使用者が前記支持シートに着座する際に、前記ステッピングモータが自己保持力を発動するよう、前記ステッピングモータを制御する構成とされ得る。こうすると、張られた状態に布部材を維持するための構成を別途配することなく、布部材を張られた状態に維持することができ、構成の簡素化を図ることができる。
【発明の効果】
【００１６】
以上のとおり、本発明によれば、支持シート上に横たわる際の使用者の負担を効果的に軽減することが可能な液圧式マッサージ装置を提供することができる。
【００１７】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１８】
【図１】実施例１に係るウォーターベッドに含まれる水槽と支持枠の構成を示す斜視図である。
【図２】実施例１に係るポンプと、回路基板と、温度調節器が設置された後のウォーターベッドの構成を示す斜視図、および、噴射部が設置された後のウォーターベッドを上から見た場合の構成を示す平面図である。
【図３】実施例１に係る支持シートが水槽に付設された後のウォーターベッドの構成を示す斜視図、および、上面の近傍を切断したときの断面図である。
【図４】実施例１に係る布の後端が設置されるときのウォーターベッドを後ろから見た場合の構成を示す側面図、および、筐体が設置された後のウォーターベッドの構成を示す斜視図である。
【図５】実施例１に係る支持部と、レバーと、カバーの構成を示す斜視図、および、布の前端がレバーに固定された状態を示す断面図である。
【図６】実施例１に係る支持部材とレバーが設置され、布の前端がレバーに固定された後の、開口の近傍を示す斜視図である。
【図７】実施例１に係る組み立てが完了したウォーターベッドの構成を示す斜視図である。
【図８】実施例１に係るウォーターベッドの作用を模式的に示す図である。
【図９】実施例１に係るウォーターベッドの作用を模式的に示す図である。
【図１０】実施例２に係る組み立てが完了したウォーターベッドの構成を示す斜視図である。
【図１１】実施例２に係る開口の近傍を示す斜視図である。
【図１２】実施例３に係る組み立てが完了したウォーターベッドの構成を示す斜視図である。
【図１３】実施例３に係る開口の近傍を示す斜視図である。
【図１４】実施例３に係るウォーターベッドの構成を示すブロック図、および、ＣＰＵによる制御を示すフローチャートである。
【図１５】変更例に係るウォーターベッドの構成を示す斜視図である。
【図１６】変更例に係るレバーと筐体の構成を示す図である。
【図１７】変更例にウォーターベッドの構成を示す斜視図および作用を模式的に示す図である。
【発明を実施するための形態】
【００１９】
以下、本発明の実施の形態につき図面を参照して説明する。
【００２０】
以下に示す実施の形態において、ウォーターベッド１は、請求項に記載の「液圧式マッサージ装置」に相当する。ＣＰＵ４１は、請求項に記載の「制御部」に相当する。布１３０は、請求項に記載の「移乗補助手段」、「布部材」に相当する。凹部１４２は、請求項に記載の「空間形成手段」に相当する。支持部材１５０、２１０は、請求項に記載の「保持部材」に相当する。レバー１６０、２２０は、請求項に記載の「張力設定部」に相当する。取手１６３、２２１は、請求項に記載の「取手部材」に相当する。ステッピングモータ３３０は、請求項に記載の「モータ」に相当する。ネット４１０は、請求項に記載の「移乗補助手段」に相当する。ただし、上記請求項と本実施の形態との対応の記載は、あくまで一例であって、請求項に係る発明を本実施の形態に限定するものではない。
【００２１】
＜実施例１＞
以下、図１〜図７（ｂ）を参照して、本実施例に係るウォーターベッド１の構成を組み立て手順に沿って説明する。なお、以下の図面では、便宜上、互いに直交するＸ、Ｙ、Ｚ軸が示されている。Ｘ−Ｙ平面は、水平面に平行で、Ｚ軸方向は鉛直方向である。
【００２２】
図１は、ウォーターベッド１に含まれる水槽１０と支持枠２０の構成を示す斜視図である。
【００２３】
水槽１０は、上部が開放された縦長の船体からなっており、Ｘ軸方向に対称な形状を有する。平面視において、水槽１０の上面１１は、角が丸められた長方形の輪郭を有する。上面１１には、輪郭に沿って溝１１ａが設けられており、溝１１ａには、後述する支持シート１１０（図３（ａ）参照）を設置するための枠部材１２１（図３（ａ）参照）が設置される。なお、図１〜図２（ｂ）では図示しないが、溝１１ａと上面１１の外周との間には、枠部材１２１を固定するために用いる孔１１ｂ（図３（ｂ）、（ｃ）参照）が設けられている。
【００２４】
水槽１０には、上面１１から所定の深さの位置に、Ｘ−Ｙ平面に平行な２つの棚１０ａが設けられ、これら棚１０ａよりもさらに深い位置に、Ｘ−Ｙ平面に平行な底１０ｂが設けられている。Ｘ軸負側の棚１０ａと底１０ｂとを繋ぐ内壁面には、２つの孔１２、１３が設けられている。また、Ｘ軸正側の棚１０ａ（図２（ｂ）参照）と底１０ｂとを繋ぐ内壁面には、孔１４（図２（ｂ）参照）が設けられ、さらに、Ｘ軸正側の棚１０ａには、孔１５（図２（ｂ）参照）が設けられている。また、水槽１０には、Ｙ軸負側の側面からサーミスタ１６が挿入され、サーミスタ１６の温度検出部が水槽１０の内部に位置付けられている。
【００２５】
支持枠２０は、上面が開放された直方形状の枠体であり、Ｘ−Ｙ平面において矩形形状を有する上部材２１と下部材２２、および、上部材２１と下部材２２とを繋ぐＺ軸方向に延びた８本の部材２３を備えている。上部材２１の内側の輪郭は、上面１１の外側の輪郭よりも一回り小さい。部材２３のＺ軸方向の長さは、水槽１０のＺ軸方向の長さよりも大きい。したがって、支持枠２０に上側から水槽１０を嵌め込むと、水槽１０の外周縁が上部材２１に載置され、水槽１０が支持枠２０によって支持される。また、支持枠２０には、支持板２４が溶接によって取り付けられている。
【００２６】
組み立て時には、水槽１０が上側から支持枠２０に嵌め込まれた後、図２（ａ）に示すように、ポンプ３０と、回路基板４０と、温度調節器６０が、支持板２４に設置される。
【００２７】
図２（ａ）は、ポンプ３０と、回路基板４０と、温度調節器６０が設置された後のウォーターベッド１の構成を示す斜視図である。
【００２８】
ポンプ３０の取込口３１と排出口３２は、それぞれ、配管を介して水槽１０の孔１４、１５（図２（ｂ）参照）に連結される。回路基板４０は、収納ボックス５０に収納された状態で、支持板２４に設置される。詳細には、収納ボックス５０が支持板２４に設置され、この収納ボックス５０内に回路基板４０が収納される。収納ボックス５０には、回路基板４０以外の電気系統も収納される。
【００２９】
温度調節器６０は、支持板２４に設置される。温度調節器６０の取込口と排出口は、それぞれ、配管を介して水槽１０の孔１２と孔１３に連結される。温度調節器６０は、図示しないポンプと、加温部と、冷却部と、配管とを備え、孔１２から取り込んだ液体（本実施例では水）を、加温部で加温し、または、冷却部で冷却した後、孔１３から排出する。加温および冷却の何れが実行されるかは、サーミスタ１６により検出された温度が所定の温度となるように、回路基板４０のＣＰＵにより決定される。
【００３０】
図２（ａ）に示すように組み立てが行われた後、図２（ｂ）に示すように、水槽１０に噴射部７０が設置される。
【００３１】
図２（ｂ）は、噴射部７０が設置された後のウォーターベッド１を上から（Ｚ軸負側から）見た場合の構成を示す平面図である。
【００３２】
噴射部７０は、２つのプーリ７１と、プーリ７１間に張設されたベルト７２と、ベルト７２に連結されＹ軸方向に移動可能に支持された移動板７３と、移動板７３に回転可能に支持された２つの回転子７４とを備える。２つの回転子７４には、それぞれ、水を噴射する噴射口７５が設けられている。噴射口７５には、給水口（図示せず）を介して水が供給される。この給水口は、弾性変形可能な配管７６を介して、水槽１０の孔１５に連結されている。したがって、ポンプ３０が駆動されると、孔１４から取り込まれた水が、噴射口７５から噴射される。
【００３３】
２つのプーリ７１のうち一方が、モータ（図示せず）によって駆動される。これにより、２つの回転子７４が移動板７３とともにＹ軸方向に移動し、２つの回転子７４が移動板７３上でＺ軸を軸として回転する。これにより、噴射口７５がＺ軸を軸として回転する。こうして、噴射口７５は、回転しつつ、Ｙ軸方向に移動される。
【００３４】
図２（ｂ）に示すように組み立てが行われた後、図３（ａ）に示すように、水槽１０の上部を覆うよう、支持シート１１０が水槽１０に付設される。
【００３５】
図３（ａ）は、支持シート１１０が水槽１０に付設された後のウォーターベッド１の構成を示す斜視図である。
【００３６】
支持シート１１０には、給水用の孔１１１が設けられている。支持シート１１０は、弾性に富む材料から構成され、枠部材１２１と１４個の留め具１２２により液漏れがないよう水槽１０に付設される。
【００３７】
図３（ｂ）、（ｃ）は、Ｘ軸正側の上面１１の近傍をＸ−Ｚ平面で切断したときの断面図である。ここでは、支持シート１１０の設置手順を説明するために、Ｘ軸正側の上面１１に設置される留め具１２２を一例として図示しているが、上面１１の他の部分に対しても同様にして留め具１２２が設置される。
【００３８】
支持シート１１０が水槽１０に付設される際、まず、溝１１ａを覆うように、支持シート１１０が水槽１０の上方に位置付けられる。続いて、枠部材１２１が、支持シート１１０の上から溝１１ａに向かって押し付けられる。さらに、枠部材１２１は、留め具１２２により上から押さえられる。ここで、留め具１２２には孔１２２ａが設けられており、上面１１には孔１１ｂが設けられている。枠部材１２１が留め具１２２により上から押さえられた状態で、ネジ１２３が孔１２２ａ、１１ｂに通されることにより、図３（ｃ）に示すように、留め具１２２が上面１１に固定される。
【００３９】
こうして、図３（ａ）に示すように、枠部材１２１と１４個の留め具１２２により、支持シート１１０が水槽１０に対して付設される。水槽１０に支持シート１１０が付設されることにより、水槽１０と支持シート１１０とによって閉じられた空間（以下、「密閉空間」と称する）が形成される。
【００４０】
図３（ａ）に示すように組み立てが行われた後、図４（ａ）に示すように、布１３０の後端が上部材２１のＸ軸負側の側面に設置される。
【００４１】
図４（ａ）は、布１３０の後端が設置されるときのウォーターベッド１を後ろから（Ｘ軸負側から）見た場合の構成を示す側面図である。
【００４２】
布１３０は、柔軟性を有し、且つ、伸縮しにくい材料から構成され、矩形形状を有している。布１３０の後端には、複数の孔１３１が設けられている。上部材２１のＸ軸負側の側面には、布１３０の孔１３１に対応する複数の孔２１ａが設けられている。孔１３１が、図示しないネジにより孔２１ａに固定されることにより、布１３０の後端が上部材２１のＸ軸負側の側面に固定される。
【００４３】
図４（ａ）に示すように布１３０の後端が上部材２１のＸ軸負側の側面に固定された後、布１３０の前端がＸ軸正方向に向けられた状態で、図４（ｂ）に示すように筐体１４０が設置される。
【００４４】
図４（ｂ）は、筐体１４０が設置された後のウォーターベッド１の構成を示す斜視図である。
【００４５】
筐体１４０は、支持枠２０の側面と上面１１とを覆うように設置される。布１３０の前端は、筐体１４０と水槽１０の上面１１とによって作られるＸ軸負側の隙間から、Ｘ軸正方向に延びている。なお、布１３０の前端は、後述するレバー１６０（図５（ａ）参照）が設置された後でレバー１６０に固定される。
【００４６】
筐体１４０の前方には、２つの開口１４１と、２つの凹部１４２が設けられている。２つの開口１４１を介して、後述する２つの支持部材１５０とカバー１７０（図５（ａ）参照）が、上部材２１のＸ軸正側の側面に設置される。凹部１４２は、図７（ａ）、（ｂ）を参照して後述するように、レバー１６０の取手１６３を作業者がつかみ易いように設けられている。
【００４７】
図５（ａ）は、支持部材１５０と、レバー１６０と、カバー１７０の構成を示す斜視図である。
【００４８】
２つの支持部材１５０は、Ｘ−Ｚ平面に対して互いに対称な形状を有しており、レバー１６０は、Ｙ軸方向に対称な形状を有している。レバー１６０のＹ軸正側とＹ軸負側の端部には、鍔部１６１が形成されている。また、レバー１６０には、Ｙ軸方向に延びた軸１６２と取手１６３が形成されている。２つのカバー１７０は、Ｘ−Ｚ平面に対して互いに対称な形状を有している。
【００４９】
組み立て時には、レバー１６０の２つの鍔部１６１が、２つの支持部材１５０によって外側から支持された状態で、２つの支持部材１５０が、開口１４１を介して上部材２１のＸ軸正側の側面に設置される。支持部材１５０の詳細な構成については、追って図６（ａ）、（ｂ）を参照して説明する。その後、図５（ｂ）に示すように、布１３０の前端がレバー１６０の軸１６２に固定される。
【００５０】
図５（ｂ）は、布１３０の前端がレバー１６０の軸１６２に固定された状態を示す断面図である。布１３０の前端は、軸１６２に対して巻き付けられた後、折り返される。そして、布１３０の前端が布１３０の裏面に重ね合わされ、２重になった布１３０の部分が、固定部材１３２により、Ｙ軸方向に沿って複数箇所固定される。こうして、布１３０の前端が軸１６２に対して固定される。その後、図５（ａ）に示すように、カバー１７０が、支持部材１５０を覆うようにして、開口１４１を介して上部材２１のＸ軸正側の側面に設置される。カバー１７０が設置されることにより、作業者および使用者が、レバー１６０と支持部材１５０の接続部分に誤って触れてしまうことが防止される。
【００５１】
図６（ａ）、（ｂ）は、支持部材１５０とレバー１６０が設置され、布１３０の前端が
レバー１６０に固定された後の、開口１４１の近傍を示す斜視図である。なお、開口１４１のＹ軸正側とＹ軸負側の近傍は、Ｘ−Ｚ平面に対して互いに対称であるため、便宜上、ここでは開口１４１のＹ軸負側の近傍のみについて説明する。
【００５２】
図６（ａ）を参照して、支持部材１５０は、Ｙ−Ｚ平面に平行な板部１５１と、Ｘ−Ｚ平面に平行であり半円形状の輪郭を有する板部１５２と、板部１５２に設けられＹ軸負方向に延びた軸１５３と、バネ１５４と、を備える。板部１５２には、円弧部分に沿ってガイド１５２ａが設けられており、ガイド１５２ａの上端の下側と、ガイド１５２ａの下端の上側には、それぞれ、切欠１５２ｂ、１５２ｃが設けられている。
【００５３】
組み立て時には、レバー１６０の２つの鍔部１６１が、支持部材１５０の切欠１５２ｂに通され、バネ１５４の端部が、鍔部１６１と軸１５３に繋がれる。この状態で、支持部材１５０が、開口１４１を介して上部材２１のＸ軸正側の側面に設置される。そして、上述したように布１３０の前端がレバー１６０の軸１６２に固定され、開口１４１の近傍が、図６（ａ）に示す状態となる。このとき、布１３０は、図６（ａ）に示すように、布１３０にかかる張力が０となるように、すなわち撓んだ状態となるようにして軸１６２に固定される。
【００５４】
図６（ａ）に示す状態では、鍔部１６１が、切欠１５２ｂに位置付けられた状態で、バネ１５４の収縮力により下方向に引っ張られているため、レバー１６０の位置は、図６（ａ）に示す位置（以下、「上段位置」という）に維持される。この位置からレバー１６０を動かす場合、まず、作業者はレバー１６０の取手１６３を持って、バネ１５４の収縮力に抗してレバー１６０を上に引き上げ、鍔部１６１をガイド１５２ａに沿うようにしてレバー１６０を下に移動させる。そして、鍔部１６１がガイド１５２ａの下端に位置付けられると、鍔部１６１が、バネ１５４の収縮力により上方向に引っ張られ、切欠１５２ｃに位置付けられる。これにより、レバー１６０は、図６（ｂ）に示す位置（以下、「下段位置」という）に位置付けられ、レバー１６０の位置は、下段位置に維持される。なお、レバー１６０が下段位置にあるとき、取手１６３は筐体１４０の外側面に沿っている。
【００５５】
次に、図５（ａ）〜図６（ｂ）に示すように組み立てが行われた後、水槽１０が満水状態となるまで、支持シート１１０の孔１１１から水槽１０に水が供給される。その後、孔１１１が蓋１１２（図７（ａ）、（ｂ）参照）によって塞がれる。こうして、水槽１０と支持シート１１０とにより形成される密閉空間内に水が充填される。そして、図７（ａ）、（ｂ）に示すように、表示入力部１８０が設置され、ウォーターベッド１の組み立てが完了する。
【００５６】
図７（ａ）、（ｂ）は、組み立てが完了したウォーターベッド１の構成を示す斜視図である。
【００５７】
表示入力部１８０は、筐体１４０のＸ軸負側の側面に設定され、操作者による入力を受け付けると共に、ウォーターベッド１の動作状態を表示する。表示入力部１８０は、たとえば、タッチパネルによって構成される。また、表示入力部１８０は、電気配線により、回路基板４０（図２（ａ）参照）に接続されている。
【００５８】
図７（ａ）に示すように、レバー１６０が上段位置にあるとき、布１３０にかかる張力は０となる。この状態から図７（ａ）の点線矢印に示すように、作業者が、レバー１６０を上方向に引き上げた後、下方向へ移動させると、図７（ｂ）に示すように、レバー１６０が下段位置に位置付けられる。こうして、レバー１６０が下段位置に位置付けられると、布１３０にかかる張力は高くなる。この状態から図７（ｂ）の点線矢印に示すように、作業者が、レバー１６０を下方向に引き下げた後、上方向へ移動させると、図７（ａ）に
示すように、レバー１６０が上段位置に位置付けられる。
【００５９】
また、図７（ｂ）に示すように、筐体１４０に形成された２つの凹部１４２により、レバー１６０が下段位置にあるときに、作業者がつかむ取手１６３の部分（被操作部）と、筐体１４０の外側面との間に空間が形成される。これにより、作業者は、図７（ａ）に示す状態から両手で取手１６３をつかんでレバー１６０を下段位置に移動させる際、および、図７（ｂ）に示す状態から両手で取手１６３をつかんでレバー１６０を上段位置に移動させる際に、作業者の手が筐体１４０に当たることが抑制される。
【００６０】
＜実施例１の効果＞
本実施例によれば、以下の効果が奏され得る。
【００６１】
図８（ａ）に示すように、使用者がウォーターベッド１に乗り降りする際、作業者により予めレバー１６０が下段位置に位置付けられると、布１３０にかかる張力が高められる。これにより、図８（ｂ）に示すように、使用者が支持シート１１０に着座しても布１３０が使用者を支えるため、使用者が支持シート１１０に直接着座する場合に比べて、使用者の沈み込みが抑制される。よって、使用者は円滑に支持シート１１０に着座することができるため、使用者が支持シート１１０上に横たわる際の負担を効果的に軽減することができる。
【００６２】
また、図９（ａ）に示すように、マッサージの際には、作業者により予めレバー１６０が上段位置に位置付けられると、布１３０の引っ張りが解除される。これにより、図９（ｂ）に示すように、布１３０が支持シート１１０と一体となって撓み易くなる。よって、使用者が支持シート１１０に埋もれ易くなり、使用者に対してマッサージ効果を与えることができる。
【００６３】
また、図６（ｂ）に示すように、レバー１６０の鍔部１６１が板部１５２の切欠１５２ｃに位置付けられることにより、下段位置にあるレバー１６０の位置を保持することができる。これにより、作業者は、容易に布１３０にかかる張力を高い状態に維持させることができる。また、図６（ａ）に示すように、レバー１６０の鍔部１６１が板部１５２の切欠１５２ｂに位置付けられることにより、上段位置にあるレバー１６０の位置を保持することができる。これにより、布１３０が緩められた状態においても、レバー１６０の位置を保持することができる。
【００６４】
また、筐体１４０に凹部１４２が形成されているため、レバー１６０を移動させる際に作業者の手が筐体１４０に当たることが抑制される。これにより、作業者は、容易にレバー１６０を操作することができる。
【００６５】
＜実施例２＞
上記実施例１では、布１３０にかかる張力は、レバー１６０を上下に移動させることにより変化されたが、本実施例では、レバー２２０を上下に移動させることにより変化される。
【００６６】
図１０（ａ）、（ｂ）は、本実施例に係る組み立てが完了したウォーターベッド１の構成を示す図である。
【００６７】
レバー２２０が、図１０（ａ）に示す位置（上段位置）にあるとき、布１３０にかかる張力は０となる。この状態から、図１０（ａ）の点線矢印に示すように、作業者が取手２２１をつかんでレバー２２０を下方向へ移動させると、レバー２２０は、図１０（ｂ）に示す位置（下段位置）に位置付けられる。こうして、レバー２２０が下段位置に位置付け
られると、布１３０にかかる張力は高くなる。さらに、この状態から、レバー２２０を上方向へ移動させる場合、作業者は、図１０（ｂ）の点線矢印に示すようにＹ軸負側のフック２１４（図１１（ａ）、（ｂ）参照）をＹ軸負方向に回転させ、Ｙ軸正側のフック２１４をＹ軸正方向に回転させる。この状態で、図１０（ｂ）の点線矢印に示すように、作業者が取手２２１をつかんでレバー２２０を上方向へ移動させると、図１０（ａ）に示すように、レバー２２０が上段位置に位置付けられる。
【００６８】
なお、２つのレバー２２０の距離が大きいとき、２つのレバー２２０の移動は、左右別々に行われても良い。この場合、一方のレバー２２０が上段位置に、他方のレバー２２０が下段位置にあると、布１３０にねじりの力が加わる。このため、布１３０と、支持部材２１０と、レバー２２０とが破損しないよう、布１３０の強度、上段位置と下段位置の距離、２つのレバー２２０の距離等が設定される。
【００６９】
また、本実施例においても、図１０（ｂ）に示すように、筐体１４０に形成された２つの凹部１４２により、レバー２２０が下段位置にあるときに、作業者がつかむ取手２２１の部分（被操作部）と、筐体１４０の外側面との間に空間が形成される。これにより、作業者は、図１０（ａ）に示す状態から取手２２１をつかんでレバー２２０を下段位置に移動させる際、および、図１０（ｂ）に示す状態から取手２２１をつかんでレバー２２０を上段位置に移動させる際に、作業者の手が筐体１４０に当たることが抑制される。
【００７０】
図１１（ａ）、（ｂ）は、本実施例の開口１４１の近傍を示す斜視図である。なお、上記実施例１と同様、開口１４１のＹ軸正側とＹ軸負側の近傍は、Ｘ−Ｚ平面に対して互いに対称であるため、便宜上、ここでは開口１４１のＹ軸負側の近傍のみについて説明する。
【００７１】
図１１（ａ）を参照して、本実施例では、上記実施例１の構成から、支持部材１５０と、レバー１６０と、カバー１７０が省略され、支持部材２１０と、レバー２２０と、軸２３０が追加されている。
【００７２】
支持部材２１０は、板部２１１、２１２と、軸２１３と、フック２１４と、バネ２１５を備えている。板部２１１は、Ｙ−Ｚ平面に平行な板状部分と、レバー２２０を軸支する支持部２１１ａを有している。板部２１２は、Ｘ−Ｙ平面に平行な板状部分を有している。軸２１３は、板部２１２のＸ−Ｙ平面に平行な板状部分の下側に設置されており、Ｚ軸負方向に延びている。フック２１４は、軸２１３を軸として回転可能となるよう、且つ、可動域が図１１（ａ）に示す位置からＹ軸負方向に僅かに回転した位置までの範囲となるよう、軸２１３に設置されている。また、フック２１４のＸ軸負側の端部には、鍔部２１４ａが設けられている。バネ２１５は軸２１３に巻き付けられており、Ｙ軸負方向に回転したフック２１４を図１１（ａ）に示す位置に押し戻すよう構成されている。
【００７３】
レバー２２０は、Ｙ軸まわりに回転可能となるよう支持部２１１ａに軸支されており、取手２２１を備えている。軸２３０は、Ｙ軸正側とＹ軸負側のレバー２２０により支持されている。
【００７４】
組み立て時には、２つの支持部材２１０と、２つのレバー２２０と、軸２３０とが組み合わせられる。そして、２つの支持部材２１０のうち、板部２１１のＸ軸負側の面が、それぞれＹ軸正側とＹ軸負側の開口１４１を介して上部材２１のＸ軸正側の側面に固定され、図１１（ａ）に示す状態となる。このとき、布１３０は、上記実施例１と同様、布１３０にかかる張力が０となるように、すなわち撓んだ状態となるようにして軸２３０に固定される。
【００７５】
２つのレバー２２０が、図１１（ａ）に示す位置（上段位置）にある状態から、作業者により取手２２１が下に移動されると、支持部２１１ａに軸支されながらレバー２２０が回転する。そして、取手２２１によりフック２１４がＹ軸負方向に押された後、バネ２１５によりフック２１４がＹ軸正方向に押し戻され、図１１（ｂ）に示すように、鍔部２１４ａが取手２２１に引っ掛かる。これにより、レバー２２０は、図１１（ｂ）に示す位置（下段位置）に位置付けられ、レバー２２０の位置は、下段位置に維持される。なお、レバー２２０が下段位置にあるとき、取手２２１は筐体１４０の外側面に沿っている。
【００７６】
このように、本実施例によれば、布１３０にかかる張力を変化させることができるため、上記実施例１と同様、使用者が支持シート１１０上に横たわる際の負担を効果的に軽減することができると共に、使用者に対してマッサージ効果を与えることができる。
【００７７】
また、レバー２２０の取手２２１が鍔部２１４ａにより引っ掛かることにより、下段位置にあるレバー２２０の位置を保持することができる。これにより、上記実施例１と同様、作業者は、容易に布１３０にかかる張力を高い状態に維持させることができる。
【００７８】
また、上記実施例１と同様、筐体１４０に凹部１４２が形成されているため、レバー２２０を移動させる際に作業者の手が筐体１４０に当たることが抑制される。これにより、作業者は、容易にレバー２２０を操作することができる。
【００７９】
＜実施例３＞
上記実施例１では、布１３０にかかる張力は、レバー１６０を上下に移動させることにより変化されたが、本実施例では、ステッピングモータ３３０を駆動させることにより変化される。
【００８０】
図１２（ａ）、（ｂ）は、本実施例に係る組み立てが完了したウォーターベッド１の構成を示す図である。
【００８１】
ステッピングモータ３３０が駆動されることにより、図１２（ａ）の点線矢印に示すように布１３０が巻き取られ、布１３０を巻き取る動作が完了すると、図１２（ｂ）に示すように、布１３０にかかる張力は高くなる。また、ステッピングモータ３３０が駆動されることにより、図１２（ｂ）の点線矢印に示すように布１３０が緩められ、布１３０を緩める動作が完了すると、図１２（ａ）に示すように、布１３０にかかる張力は０となる。
【００８２】
図１３（ａ）、（ｂ）は、本実施例の開口１４３の近傍を示す斜視図である。なお、上記実施例１と同様、開口１４３のＹ軸正側とＹ軸負側の近傍は、ステッピングモータ３３０を除いて、Ｘ−Ｚ平面に対して互いに対称であるため、便宜上、ここでは開口１４３のＹ軸正側の近傍のみについて説明する。
【００８３】
図１３（ａ）を参照して、本実施例では、上記実施例１の構成から、支持部材１５０と、レバー１６０と、カバー１７０が省略され、ローラ３１１と、軸３１２と、支持板３２０と、ステッピングモータ３３０が追加されている。また、本実施例では、上記実施例１の筐体１４０から、２つの開口１４１と、２つの凹部１４２が省略され、Ｙ軸方向に延びる開口１４３が設けられている。
【００８４】
組み立て時には、ローラ３１１に布１３０の前端が固定され、軸３１２がローラ３１１を貫通すると共にローラ３１１に固定される。そして、軸３１２のＹ軸正側とＹ軸負側の端部が、それぞれ２つの支持板３２０に設けられた孔３２１に通されることにより、軸３１２が２つの支持板３２０に支持される。Ｙ軸正側の支持板３２０の孔３２１からＹ軸正方向に突出した軸３１２は、図１３（ａ）に示すように、ステッピングモータ３３０に接
続される。しかる後、２つの支持板３２０と、ステッピングモータ３３０が、開口１４３を介して上部材２１のＸ軸正側の側面に設置され、図１２（ａ）に示す状態となる。
【００８５】
図１３（ａ）に示すように、布１３０が緩められた状態から、ステッピングモータ３３０が駆動され布１３０を巻き取る動作が行われると、図１３（ｂ）に示すように、布１３０が巻き取られた状態となる。また、図１３（ｂ）に示すように、布１３０が巻き取られた状態から、ステッピングモータ３３０が駆動され布１３０を緩める動作が行われると、図１３（ａ）に示すように、布１３０が緩められた状態となる。
【００８６】
図１４（ａ）は、本実施例に係るウォーターベッド１の構成を示すブロック図である。
【００８７】
回路基板４０には、ＣＰＵ４１と、メモリ４２と、インターフェース４３が配されている。ＣＰＵ４１は、メモリ４２に保持されたプログラムに従って各部を制御する。ＣＰＵ４１は、インターフェース４３を介して各部に制御信号を出力し、また、インターフェース４３を介して各部からの信号を受信する。
【００８８】
図１４（ｂ）、（ｃ）は、ＣＰＵ４１による制御を示すフローチャートである。
【００８９】
図１４（ａ）を参照して、作業者が表示入力部１８０に対してウォーターベッド１の電源をＯＮにする操作を行うと（Ｓ１１）、ＣＰＵ４１は、ステッピングモータ３３０を駆動して軸３１２を回転させ、布１３０を巻き取る（Ｓ１２）。具体的には、布１３０をこれ以上巻き取ることができなくなるまでステッピングモータ３３０が布１３０を巻き取る方向に駆動される。そして、ステッピングモータ３３０の脱調が検出されると、ステッピングモータ３３０の駆動が停止される。これにより、布１３０にかかる張力は高くなる。なお、後述するように、ウォーターベッド１の電源がＯＦＦされると、布１３０が緩められるため、ウォーターベッド１の電源が投入された時点では、布１３０は緩められた状態となっている。続いて、ＣＰＵ４１は、乗り降りが可能になったことを示すメッセージを表示入力部１８０に表示する（Ｓ１３）。
【００９０】
次に、最初の使用者が到来し、この使用者が、上記実施例１と同様、図８（ａ）、（ｂ）に示すように支持シート１１０の中央手前側に着座し、図９（ａ）、（ｂ）に示すように支持シート１１０上に横たわる。このとき、ステッピングモータ３３０の自己保持力により、布１３０は緩められることなく、布１３０にかかる高い張力は維持される。しかる後、作業者は、表示入力部１８０に対してマッサージの開始指示を入力する。マッサージの開始指示が入力されると（Ｓ１４：ＹＥＳ）、ＣＰＵ４１は、ステッピングモータ３３０を駆動して布１３０を緩める（Ｓ１５）。具体的には、ステッピングモータ３３０が、所定のステップ数だけ布１３０を緩める方向に駆動される。これにより、ステッピングモータ３３０によって布１３０にかかる張力は０になる。そして、噴射部７０の駆動が開始され（Ｓ１６）、使用者に対するマッサージが行われる。
【００９１】
なお、布１３０を緩める方向にステッピングモータ３３０を駆動させるための所定のステップ数は、予めメモリ４２に記憶されている。本実施例では、布１３０を緩める方向にステッピングモータ３３０が所定のステップ数だけ駆動された場合に、布１３０が支持シート１１０と一体となって撓むよう、所定のステップ数が設定される。
【００９２】
次に、使用者に対するマッサージが終了すると、作業者は、使用者の入れ替えを行うために、表示入力部１８０に対して入替指示を入力する。入替指示が入力されると（Ｓ１７：ＹＥＳ）、ＣＰＵ４１は、処理をＳ１２に戻す。しかる後、上述したＳ１２の処理が行われて、布１３０が巻き取られ、Ｓ１３において乗り降りが可能になったことを示すメッセージが表示される。
【００９３】
作業者は、Ｓ１３で表示されるメッセージを確認すると、支持シート１１０上に横たわっている使用者にウォーターベッド１から降りるよう促す。これにより、使用者は、上記実施例１と同様、図９（ａ）、（ｂ）に示すように支持シート１１０上に横たわった状態から、図８（ａ）、（ｂ）に示すように支持シート１１０の中央手前側に着座し、ウォーターベッド１から降りる。そして、次の使用者が到来し、この使用者が支持シート１１０上に横たわると、作業者は、表示入力部１８０に対してマッサージの開始指示を入力する（Ｓ１４：ＹＥＳ）。こうして、Ｓ１５以降の処理が行われ、Ｓ１２〜Ｓ１７の処理が繰り返し行われる。
【００９４】
図１４（ｃ）を参照して、作業者が表示入力部１８０に対してウォーターベッド１の電源をＯＦＦにする操作を行うと（Ｓ２１：ＹＥＳ）、ＣＰＵ４１は、Ｓ２２以降の処理を開始する。なお、ウォーターベッド１の電源をＯＦＦにする操作は、マッサージが行われていないとき、すなわち、布１３０が巻き取られた状態のときのみ表示入力部１８０により受け付け可能となっている。
【００９５】
電源をＯＦＦにする操作が行われると（Ｓ２１：ＹＥＳ）、ＣＰＵ４１は、電源ＯＦＦの処理を進めて良いかを作業者に確認するためのメッセージを表示入力部１８０に表示する（Ｓ２２）。作業者は、ウォーターベッド１上に使用者がいないことを確認して、表示入力部１８０に対して電源ＯＦＦの処理を進める指示を入力する。電源ＯＦＦの処理を進める指示が入力されると（Ｓ２３：ＹＥＳ）、ＣＰＵ４１は、Ｓ１５と同様、ステッピングモータ３３０を駆動して布１３０を緩める（Ｓ２４）。しかる後、ＣＰＵ４１は、シャットダウン処理を実行し、電源をＯＦＦにする（Ｓ２５）。
【００９６】
なお、表示入力部１８０の操作は、上記のように作業者によって行われるほか、使用者自身によって行われても良い。また、使用者が高齢者である場合、作業者は、ウォーターベッド１への乗り降りの際に、使用者を補助するのが望ましい。
【００９７】
このように、本実施例によれば、使用者がウォーターベッド１に乗り降りする際、図１２（ｂ）に示すように、布１３０にかかる張力が高くなるよう布１３０が巻き取られる。このとき、ステッピングモータ３３０の自己保持力により、布１３０にかかる高い張力は維持される。これにより、上記実施例１と同様、布１３０が使用者を支えるため、使用者の沈み込みが抑制される。また、マッサージの際、図１２（ａ）に示すように、ステッピングモータ３３０によって布１３０にかかる張力が０になるよう布１３０が緩められる。これにより、上記実施例１と同様、布１３０が支持シート１１０と一体となって撓み易くなる。
【００９８】
また、本実施例によれば、使用者がウォーターベッド１に乗り降りする際、ステッピングモータ３３０の自己保持力により、布１３０にかかる高い張力は維持される。これにより、張られた状態に布１３０を維持するための構成を別途配することなく、布１３０を張られた状態に維持することができ、構成の簡素化を図ることができる。
【００９９】
以上、本発明の実施例１〜３について説明したが、本発明は、上記実施例に何ら制限されるものではなく、本発明の構成例も他に種々の変更が可能である。
【０１００】
たとえば、上記実施例１〜３では、布１３０は、筐体１４０と水槽１０の上面１１とによって作られるＸ軸負側の隙間からＸ軸正側へ延ばされた。しかしながら、これに限らず、図１５（ａ）に示すように、布１３０は、筐体１４０のＸ軸負側の側面に設けられた開口（図示せず）を介し、筐体１４０の上を通ってＸ軸正側へ延ばされるようにしても良い。
【０１０１】
また、上記実施例１〜３では、布１３０にかかる張力を変化させるための構成は、ウォーターベッド１の前端側にのみ設けられたが、これに限らず、ウォーターベッド１の後端側にのみ、またはウォーターベッド１の前端側および後端側に設けられても良い。
【０１０２】
また、上記実施例１〜３では、布１３０は、１つの材料から構成されたが、これに限らず、互いに異なる柔軟性と伸縮性を有する複数の材料が合わせられることにより構成されても良い。
【０１０３】
また、上記実施例１〜３では、布１３０は、ウォーターベッド１の上部に露出している支持シート１１０の中央付近を覆うように設置されたが、これに限らず、ウォーターベッド１の上部に露出している支持シート１１０の全体を覆うように設置されても良い。
【０１０４】
また、上記実施例１、２では、レバー１６０、２２０が下段位置にあるときに、作業者がつかむ取手１６３の部分（被操作部）と、筐体１４０の外側面との間に空間が形成されるよう、筐体１４０に凹部１４２が形成された。しかしながら、これに限らず、作業者の手が筐体１４０に当たることが抑制されれば、他の構成であっても良い。たとえば、凹部１４２に替えて、凹部１４２の位置に開口が設けられても良い。また、上記実施例１では、作業者がつかむ取手１６３の部分（被操作部）の近傍にのみ凹部１４２が形成されたが、図１５（ｂ）に示すように、取手１６３の全体に亘って凹部１４２が形成されても良い。
【０１０５】
また、上記実施例１、２では、図１６（ａ）、（ｄ）に示すように、Ｘ−Ｚ平面による断面が矩形形状である凹部１４２が筐体１４０に形成され、レバー１６０、２２０と筐体１４０の外側面との間に空間Ｓが形成された。しかしながら、これに限らず、図１６（ｂ）、（ｅ）に示すように、Ｘ−Ｚ平面による断面が半円形状である凹部１４２が筐体１４０に形成されることにより、空間Ｓが形成されるようにしても良い。また、空間Ｓは、筐体１４０に形成される凹部や開口によって形成されなくても良い。たとえば、図１６（ｃ）、（ｆ）に示すように、レバー１６０、２２０の下端をＸ軸正方向に曲げられた形状とすることで、レバー１６０、２２０と筐体１４０の外側面との間に空間Ｓが形成されるようにしても良い。また、図１６（ｂ）、（ｃ）の構成が両方設けられても良く、図１６（ｅ）、（ｆ）の構成が両方設けられても良い。
【０１０６】
また、上記実施例１、２では、レバー１６０、２２０が作業者の手により上段位置と下段位置に切り替えられが、これに限らず、電気的に機構が駆動されることにより、レバー１６０、２２０が上段位置と下段位置に切り替えられるようにしても良い。
【０１０７】
また、上記実施例３では、ステッピングモータ３３０が駆動されることにより、布１３０が巻き取られ、布１３０が緩められたが、これに限らず、作業者からの力が伝達機構を介して各機構が付与されて、各機構が駆動されるようにしても良い。たとえば、作業者がペダルを踏み込むことにより、または、作業者がレバーを回すことにより各機構が駆動され、布１３０が巻き取られ、布１３０が緩められるようにしても良い。
【０１０８】
また、上記実施例３では、マッサージが終了した後、作業者により入替指示が入力されたことに応じて、布１３０が巻き取られたが、マッサージが終了すると自動的に、布１３０が巻き取られるようにしても良い。たとえば、マッサージの終了から所定時間が経過した後に、布１３０が自動的に巻き取られるようにしても良い。
【０１０９】
また、上記実施例３では、布１３０を巻き取る場合には、ステッピングモータ３３０が、布１３０を巻き取る方向に脱調するまで駆動され、布１３０を緩める場合には、ステッ
ピングモータ３３０が、布１３０を緩める方向に所定のステップ数だけ駆動された。しかしながら、これに限らず、ウォーターベッド１の組み立てが完了したときに、サービスマンがステッピングモータ３３０を調整して、布１３０が巻き取られた状態と緩められた状態にするためのステッピングモータ３３０の駆動位置とステップ数が、予めメモリ４２に記憶されるようにしても良い。
【０１１０】
また、上記実施例３では、軸３１２を回転駆動させるためにステッピングモータ３３０が用いられたが、これに替えて、ＤＣモータであっても良い。この場合、ＤＣモータの回転位置を維持するための機構が別途配され、この機構により布１３０が巻き取られた状態が維持される。
【０１１１】
また、上記実施例１〜３では、密閉空間は、水槽１０と支持シート１１０とにより形成されたが、密閉空間の形成方法がこれに限られるものではなく、たとえば、別途、密閉空間を形成するための水袋が用いられても良い。
【０１１２】
また、上記実施例１〜３では、水槽１０内に充填される液体を水としたが、他の液体であっても良い。
【０１１３】
また、上記実施例１〜３では、支持シート１１０上に布１３０が設置されたが、これに替えて、図１７（ａ）に示すように、糸状の部材により形成された網目からなるネット４１０が用いられても良い。この場合、ネット４１０の前端と後端は、それぞれ、筐体１４０のＸ軸正側と負側の側面に設けられた開口（図示せず）を介し、上部材２１のＸ軸正側と負側の側面に設置される。このとき、ネット４１０は、ネット４１０にかかる張力が高められた状態で設置される。また、筐体１４０のＸ軸正側の開口は、カバー４２０により覆われる。
【０１１４】
このようにネット４１０が設置されると、使用者が支持シート１１０に着座してもネット４１０が使用者を支えるため、上記実施例１と同様、使用者の沈み込みが抑制される。すなわち、ネット４１０は、支持シート１１０よりも沈み込みが抑制されるように、素材等が選択され、また、張架時の張力が調整される。よって、使用者は円滑に支持シート１１０に着座することができるため、使用者が支持シート１１０上に横たわる際の負担を効果的に軽減することができる。また、この場合、噴射部７０により支持シート１１０に加えられた圧力は、図１７（ｂ）に示すように、ネット４１０の網目を介してネット４１０上に横たわっている使用者に伝えられる。これにより、使用者に対してマッサージ効果を与えることが可能となる。
【０１１５】
なお、図１７（ａ）、（ｂ）に示すネット４１０は、網目のみにより構成されたが、網目と布により構成されても良い。たとえば、支持シート１１０上に横たわった使用者の頭の位置にのみ布が設けられ、それ以外の部分には網目が設けられるようにしても良い。
【０１１６】
この他、本発明の実施の形態は、特許請求の範囲に示された技術的思想の範囲内において、適宜、種々の変更が可能である。
【符号の説明】
【０１１７】
１  …  ウォーターベッド
４１  …  ＣＰＵ
１１０  …  支持シート
１３０  …  布
１４２  …  凹部
１５０、２１０  …  支持部材
１６０、２２０  …  レバー
１６３、２２１  …  取手
３１２  …  軸
３３０  …  ステッピングモータ
４１０  …  ネット
Ｓ  …  空間
【図１】
2015112348.tif 000003
【図２】
2015112348.tif 000004
【図３】
2015112348.tif 000005
【図４】
2015112348.tif 000006
【図５】
2015112348.tif 000007
【図６】
2015112348.tif 000008
【図７】
2015112348.tif 000009
【図８】
2015112348.tif 000010
【図９】
2015112348.tif 000011
【図１０】
2015112348.tif 000012
【図１１】
2015112348.tif 000013
【図１２】
2015112348.tif 000014
【図１３】
2015112348.tif 000015
【図１４】
2015112348.tif 000016
【図１５】
2015112348.tif 000017
【図１６】
2015112348.tif 000018
【図１７】
2015112348.tif 000019